(57)【要約】【課題】譜面スタンド等にも簡単に取り付けることができ、演奏者がミュートを取り出して使用したり或いは取り外して差し置く際に、それに適した位置や向きになるように容易に回動し、自転させて調節でき、しかもミュートをミュートホルダーに差し置いた状態でミュートホルダーの位置や向きが容易にずれてしまうことのないミュートホルダーの提供を課題とする。【解決手段】金管楽器の演奏用の弱音器であるミュートを保持するミュートホルダー１であって、ミュートを受け入れて保持するホルダー体１００と、被取付物に対して着脱自在に挟持するクリップ体２００と、クリップ体２００とホルダー体１００とを連結する連結体３００とからなり、連結体３００により、ホルダー体１００とクリップ体２００とをそれぞれ相互に離間した位置で別々に連結すると共に回動及び自転自在に締め付けてなる。【選択図】      図２
0003152660.tif 000002
【実用新案登録請求の範囲】
【請求項１】
金管楽器の演奏用の弱音器であるミュートを保持するミュートホルダーであって、ミュートを受け入れて保持するホルダー体と、譜面スタンド等の被取付物に対して着脱自在に挟持するクリップ体と、該クリップ体と前記ホルダー体とを連結する連結体とからなり、該連結体により、前記ホルダー体と前記クリップ体とをそれぞれ相互に離間した位置で別々に連結すると共に回動及び自転自在に締め付けてなることを特徴とするミュートホルダー。
【請求項２】
ホルダー体とクリップ体はそれぞれその一端側に継手部を有し、連結体は前記ホルダー体の継手部とクリップ体の継手部とをそれぞれその間に受け入れる一対の対向する継手受片と、該一対の対向する継手受片の間隙を調節する調節ネジとを有し、連結体の一対の継手受片の間に前記各継手部を相互に離間して嵌合させると共に調節ネジで前記一対の継手受片を両側から締め付けるよう構成していることを特徴とする請求項１に記載のミュートホルダー。
【請求項３】
ホルダー体の継手部及びクリップ体の継手部はそれぞれ連結用ピンとその先端に形成されたボールとからなり、連結体の一対の継手受片は、各継手受片の内面に前記各ボールを受け入れる凹球面のボール受けを長手方向に離間して一対形成すると共に調節ネジを前記一対のボール受けの中間位置において両継手受片に通して螺合してあることを特徴とする請求項２に記載のミュートホルダー。
【請求項４】
ホルダー体は、一部が開放された円環状の弾性部材である保持枠を備えていることを特徴とする請求項１〜３の何れかに記載のミュートホルダー。
【請求項５】
クリップ体は、譜面スタンド等の被取付物に対して着脱自在に挟持する掴み部と、掴み部を開閉させるバネ付勢付きの操作部とを備えていることを特徴とする請求項１〜４の何れかに記載のミュートホルダー。
【考案の詳細な説明】
【技術分野】
【０００１】
本考案はミュートホルダーに関する。
【背景技術】
【０００２】
ミュートホルダーは、トランペットやトロンボーン等の金管楽器の弱音奏法に用いるミュートを、その使用待機中等に保持させておくためのものである。このミュートホルダーは金属製等とし、譜面スタンドの支柱に取り付けたり、譜面スタンドの譜面立ての平板部に針金で取り付けたりするものがある。
実用新案登録第３１４３５０４号公報には、ミュート（Ｍ）を受け入れて保持するホルダー体（１００）と、該ホルダー体（１００）を支持すると共に譜面スタンド（１０）等に対して着脱自在に挟持するクリップ体（２００）とで構成されたミュートホルダーが提供されている。このミュートホルダーは、ホルダー体（１００）とクリップ体（２００）との２つの部材が、ボール（２５２）とそれを受ける継手受部（１２０）とにより、相互に自転及び回動が自在となるように連結されている（特許文献１）。
【先行技術文献】
【特許文献】
【０００３】
【特許文献１】実用新案登録第３１４３５０４号公報
【考案の概要】
【考案が解決しようとする課題】
【０００４】
しかしながら前記特許文献１に示すミュートホルダーの場合は、前記ホルダー体（１００）とクリップ体（２００）とが、一箇所のみで連結され、しかも連結がボール（２５２）とそれを受ける継手受部（１２０）とによる締め付け連結であるため、ミュート（Ｍ）を載置したときの重み等により、ホルダー体（１００）とクリップ体（２００）との相対的な位置がずれ易い問題があった。またこのため、ミュート使用に際して、ミュート（Ｍ）をミュートホルダーから取り出そうとしたときに、ミュートの位置が元の位置からずれしまっており、演奏に合わせた素早い取り出しができないという懸念があった。
【０００５】
そこで本考案は上記従来技術の問題を解消し、譜面スタンド等の演奏者の近くにある被取付物にも簡単に取り付けることができると共に、特に演奏者がミュートを取り出して使用したり或いは取り外して差し置く際に、それに適した位置や向きになるように容易に回動し、自転させて調節することができ、しかもミュートをミュートホルダーに差し置いた状態でミュートホルダーの位置や向きが容易にずれてしまうことのないミュートホルダーの提供を課題とする。
【課題を解決するための手段】
【０００６】
上記課題を達成するため本考案のミュートホルダーは、金管楽器の演奏用の弱音器であるミュートを保持するミュートホルダーであって、ミュートを受け入れて保持するホルダー体と、譜面スタンド等の被取付物に対して着脱自在に挟持するクリップ体と、該クリップ体と前記ホルダー体とを連結する連結体とからなり、該連結体により、前記ホルダー体と前記クリップ体とをそれぞれ相互に離間した位置で別々に連結すると共に回動及び自転自在に締め付けてなることを第１の特徴としている。
また本考案のミュートホルダーは、上記第１の特徴に加えて、ホルダー体とクリップ体はそれぞれその一端側に継手部を有し、連結体は前記ホルダー体の継手部とクリップ体の継手部とをそれぞれその間に受け入れる一対の対向する継手受片と、該一対の対向する継手受片の間隙を調節する調節ネジとを有し、連結体の一対の継手受片の間に前記各継手部を相互に離間して嵌合させると共に調節ネジで前記一対の継手受片を両側から締め付けるよう構成していることを第２の特徴としている。
また本考案のミュートホルダーは、上記第２の特徴に加えて、ホルダー体の継手部及びクリップ体の継手部はそれぞれ連結用ピンとその先端に形成されたボールとからなり、連結体の一対の継手受片は、各継手受片の内面に前記各ボールを受け入れる凹球面のボール受けを長手方向に離間して一対形成すると共に調節ネジを前記一対のボール受けの中間位置において両継手受片に通して螺合してあることを第３の特徴としている。
また本考案のミュートホルダーは、上記第１〜第３の何れかの特徴に加えて、ホルダー体は、一部が開放された円環状の弾性部材からなる保持枠を備えていることを第４特徴としている。
また本考案のミュートホルダーは、上記第１〜第４の何れかの特徴に加えて、クリップ体は、譜面スタンド等の被取付物に対して着脱自在に挟持する掴み部と、掴み部を開閉させるバネ付勢付きの操作部とを備えていることを第５特徴としている。
【考案の効果】
【０００７】
請求項１に記載のミュートホルダーによれば、クリップ体を譜面スタンド等の被取付物に対して挟持して取り付け、ホルダー体にミュートを差し入れておくことによって、演奏者は自己が操作するのに都合のよい場所にミュートを一時保管し、必要に応じて取り出して使用に供することができる。
クリップ体とホルダー体とは、それぞれ連結体に対し回動及び自転自在に連結されているので、クリップ体を自在な姿勢や向きで被取付物に取り付けることができると共に、ホルダー体を自在な姿勢や向きに位置付けることができる。即ち、２箇所の位置での関節的な自由度が保証されることにより、演奏者の都合のよい位置、姿勢、向きに柔軟に対応させることが非常に容易となる。
しかも連結体によるクリップ体とホルダー体の各連結は、相互に離間した２箇所の位置で行うことにより、１箇所で行う場合に比べて、締め付けの度合いの調整が容易となり、より確実に締め付けることが可能となって、ミュートを載置したときの重み等によるホルダー体の位置、姿勢、向き等が元の状態からずれ易いという問題を解消することが可能となった。
また連結体をホルダー体やクリップ体とは別部材にしているので、ホルダー体、クリップ体及び連結体のそれぞれを、何れも簡単な構成で作製することが可能となり、製造が容易となり、また歩留まり上にメリットも生じた。
【０００８】
また請求項２に記載のミュートホルダーによれば、上記請求項１に記載の構成による作用効果に加えて、連結体によるホルダー体とクリップ体の連結は、ホルダー体とクリップ体の継手部を、連結体の一対の継手受片の間にそれぞれ嵌合させ、前記一対の継手受片の間隙を調節する調節ネジによって両側から締め付けることにより行うことができる。よってホルダー体とクリップ体の連結が連結体により容易に、また締め付け調節可能に行うことができる。
しかも連結体によるホルダー体とクリップ体の連結は、ホルダー体とクリップ体の各継手部を相互に離間した状態にして、その状態で継手受片により両側から締め付ける構成としているので、一対の継手受片による締め付け面積を実質上広くすることができる。よって緩みが生じ難い、確実な締め付けによる連結ができる。
【０００９】
また請求項３に記載のミュートホルダーによれば、請求項２に記載の構成による作用効果に加えて、連結体によるホルダー体とクリップ体の連結は、ホルダー体とクリップ体の各連結用ピンとその先端のボールとを、連結体の一対の継手受片間に入れ、更にボールを連結体の継手受片のボール受けに入れて、調節ネジで締め付けることにより行うことができる。各ボール受け内での各ボールの回転位置を調節することにより前記ホルダー体とクリップ体の各自転位置を容易に調節できる。また前記一対の継手受片の間隙が属する面内での前記連結用ピンの回動位置を調節することにより、前記ホルダー体とクリップ体の各回動位置を容易に調節できる。またこれにより、ミュートホルダーの保管時に、前記クリップ体と前記ホルダー体とを重ね合わせて、全体としての嵩を小さくすることができる。
【００１０】
また請求項４に記載のミュートホルダーによれば、請求項１〜３の何れかに記載の構成による作用効果に加えて、ホルダー体は、一部が開放された円環状の弾性部材からなる保持枠を備えているので、種々の大きさのミュートに対しても対応することができる。
【００１１】
また請求項５に記載のミュートホルダーによれば、請求項１〜４の何れかに記載の構成による作用効果に加えて、クリップ体は、譜面スタンド等の被取付物に対して着脱自在に挟持する掴み部と、掴み部を開閉させるバネ付勢付きの操作部とを備えているので、操作部を手にもって、掴み部を開き、これを被取付物にあてがって挟むだけで、ミュートホルダーの取り付けが簡単にできる。勿論、取り外しも簡単である。
【図面の簡単な説明】
【００１２】
【図１】本考案の実施形態に係るミュートホルダーを譜面スタンドに取り付けた状態を示す斜視図である。
【図２】本考案の実施形態に係るミュートホルダーの平面図である。
【図３】本考案の実施形態に係るミュートホルダーの要部の平面図である。
【図４】本考案の実施形態に係るミュートホルダー動きを説明する図である。
【図５】本考案に実施形態に係るミュートホルダーの取り付けを説明する図である。
【考案を実施するための形態】
【００１３】
以下の図面を参照して、本考案の実施形態に係るミュートホルダーについて説明する。
図１を参照して、本考案のミュートホルダー１は、ミュートＭを受け入れて保持するホルダー体１００と、譜面スタンド等の被取付物１０に対して着脱自在に挟持するクリップ体２００と、前記ホルダー体１００とクリップ体２００とを連結する連結体３００とからなる。
【００１４】
図２と図３も参照して、ホルダー体１００は、保持枠１１０と、該保持枠１１０の一端側である基端に継手部１２０を備えている。
【００１５】
前記保持枠１１０は、一部を開放した円環状であって、樹脂製で軽量な弾性部材を用いて形成される。これにより、ミュートの大きさが異なっても対応することができる。またミュートの出し入れがし易く、ミュートに傷が付き難い。
前記ホルダー体１００の継手部１２０は、保持枠１１０の基端から突出して形成された連結用ピン１２１と、その連結用ピン１２１の先端に一体成形により形成されたボール１２２とからなる。
【００１６】
前記クリップ体２００は、譜面スタンド等の被取付物１０に対して現に着脱自在に挟持して取り付く掴み部２１０と、その掴み部２１０を開閉操作するための操作部２２０とからなる。
【００１７】
前記掴み部２１０は、可動掴み板２１１と、不動掴み板２１２とで構成される。
図５も参照して、可動掴み板２１１は、先端を平坦に形成し、その後方を山形突起２１１ａに形成している。また不動掴み板２１２は、先端と後端とを平坦に形成し、その中央を台形窪み２１２ａに形成している。このような形状とすることで、円柱や角柱等の被取付物１０や凹凸のある被取付物１０に対応させることができる。よって被取付物１０である譜面スタンドの支柱１１や譜面立て平板部１２等、色々な場所に取り付けることができる。
【００１８】
前記操作部２２０は、前記可動掴み板２１１に連続して形成された可動操作板２２１と、前記不動掴み板２１２に連続して形成された不動操作板２２２とを備えている。
可動操作板２２１と不動操作板２２２には、それぞれ軸受け２２１ａ、２２２ａが形成されている。この軸受け２２１ａ、２２２ａを貫通して支持軸２３０が設けられている。またこの支持軸２３０に対して付勢バネ２４０が装着されている。
付勢バネ２４０は、前記支持軸２３０に巻着し、前記可動操作板２２１と不動操作板２２２との裏面に係止されて、前記掴み部２１０を閉止する方向に付勢する。
前記可動操作板２２１を付勢バネ２４０に抗して不動操作板２２２側へ押圧して回動させることで、前記可動掴み板２１１が不動掴み板２１２から開口し、被取付物１０に対する挟持が可能となる。
可動操作板２２１と不動操作板２２２には、それぞれ滑り止め突起部２２１ｂ、２２２ｂが形成されている。
また可動操作板２２１や不動操作板２２２には装飾２２４を設けてもよい。
【００１９】
前記クリップ体２００は、その一端側である基端、即ち不動操作板２２２の基端に継手部２５０を備えている。継手部２５０は、不動操作板２２２の基端から突出して形成された連結用ピン２５１と、その連結用ピン２５１の先端に一体成形により形成されたボール２５２とからなる。
【００２０】
前記クリップ体２００は、前記支持軸２３０と付勢バネ２４０を金属で構成する以外、樹脂にて一体成形されている。
【００２１】
図４も参照して、連結体３００は、一対の継手受片３１０、３２０と、調節ネジ３３０とからなる。
一対の継手受片３１０、３２０は、前記ホルダー体１００とクリップ体２００の各継手部１２０、２５０を受け入れるための部材で、相互に対向して設けられる。
各継手受片３１０は、その内面に一対のボール受け３１０ａ、３１０ａを形成している。このボール受け３１０ａ、３１０ａは、継手受片３１０の長手方向の中心から同距離となるように離間して形成されている。
同様に、各継手受片３２０にも、その内面に一対のボール受け３２０ａ、３２０ａを形成している。このボール受け３２０ａ、３２０ａも、継手受片３２０の長手方向の中心から同距離となるように離間して形成されている。
各ボール受け３１０ａ、３１０ａ、３２０ａ、３２０ａは凹球面からなり、前記ボール１２２、２５２を受け入れる。前記凹球面の深さはボール１２２、２５２の半径よりも少し浅くして、前記連結用ピン１２１、２５１が一対の継手受片３１０、３２０間に挟まれて動きが取れなくなるのを防止している。
勿論、各ボール受け３１０ａ、３１０ａ、３２０ａ、３２０ａは同じ大きさとし、また前記ボール１２２、２５２も同じ大きさとし、各ボール１２２、２５２が各ボール受け３１０ａ、３１０ａ、３２０ａ、３２０ａに均等に嵌まり合うようにしている。
【００２２】
前記継手受片３１０、３２０には、その長手方向の中心にそれぞれ雌ネジ部３１０ｂ、３２０ｂが形成されている。
一方、前記調節ネジ３３０には、雄ネジ部３３１が形成されている。
調節ネジ３３０の雄ネジ部３３１が、前記一対の継手受片３１０、３２０の雌ネジ部３１０ｂ、３２０ｂに通されて螺合されることによって、一対の継手受片３１０、３２０が一対のボール１２２、２５２を挟んだ状態で結合状態となる。そしてボール１２２、２５２が連結体３００で挟まれることで、ホルダー体１００、クリップ体２００がそれぞれ連結体３００と連結される。またこれによってホルダー体１００とクリップ体２００が連結体３００を介して連結される。
【００２３】
前記連結体３００とホルダー体１００、クリップ体２００の結合は、前記継手部１２０、２５０の前記ボール１２２、２５２を前記一対継手受片３１０、３２０の間に入れて、ボール受け３１０ａ、３２０ａに嵌合し、調節ネジ３３０で一対の継手受片３１０、３２０の間隙を狭めていくことで行う。その途中において、各ボール１２２、２５２を回転させることで、ホルダー体１００及びクリップ体２００をその場で回転させる（自転させる）ことができる。また前記連結用ピン１２１、２５１を、前記一対の継手受片３１０、３２０の隙間が属する面上で回動させることで、その面上でボール１２２、２５２を中心にホルダー体１００、クリップ体２００をそれぞれ回動させることができる。これによって、図４に示すように、ホルダー体１００及びクリップ体２００を、その場で自転させ、またボール１２２、２５２を中心に前記一対の継手受片３１０、３２０の間隙に沿う方向に回動させることができる。
ホルダー体１００、クリップ体２００を所定の位置、姿勢、向きに調整したのち、調節ネジ３３０を更に締め付けることで、それらホルダー体１００、クリップ体２００の位置、姿勢、向きを不動に確定する。
【００２４】
前記調節ネジ３３０による一対の継手受片３１０、３２０の締め付けは、離間したボール１２２、２５２の中間位置である、継手受片３１０、３２０の長手方向の中心を締め付けることになるので、実質的に長手方向に一定の幅をもって両継手受片３１０、３２０を両側から押し付けているのと同じ状態となる。従って１個のボールを両側から１点で押さえるような場合に比較して、本考案の２点押圧の方式では、十分強固に押圧力をボール１２２、２５２に加えることが可能となる。よってミュートＭを保持中に、ボール１２２、２５２が不要に動いて位置ずれが生じるのを、より確実に防止できる。
【００２５】
本考案の実施形態に係るミュートホルダー１の取り付け及び使用方法について説明する。
図５を参照して、ミュートホルダー１を取り付ける場合は、まず片手で前記クリップ体２００の操作部２２０である前記可動操作板２２１と不動操作板２２２とを、上下から指を当て押圧する。その押圧によって前記クリップ体２００の掴み部２１０である可動掴み板２１１と不動掴み板２１２とが付勢バネ２４０の付勢力に抗して開く。被取付物１０の取り付け場所で指を離して押圧を解除すると、付勢バネ２４０の付勢力によって可動掴み板２１１と不動掴み板２１２が閉止され、図１に示すように掴み部２１０で確りと挟持してミュートホルダー１を被取付物１０に取り付けることができる。被取付物１０として身近な譜面スタンド等の被取付物１０を利用する場合は、支柱１１や譜面立て平板部１２等、演奏中にミュートＭの出し入れがし易い場所に取り付けることができる。
次に調節ネジ３３０を調節して、ミュートＭの出し入れがし易い最適な位置、姿勢、向きに前記保持枠１１０の受け口を固定する。
またミュートホルダー１を保管する際には、ホルダー体１００とクリップ体２００を重ね合わせるように回動することで、嵩を小さくコンパクトにすることができる。
【符号の説明】
【００２６】
１        ミュートホルダー
１０      被取付物
１１      支柱
１２      譜面立て平板
１００    ホルダー体
１１０    保持枠
１２０    継手部
１２１    連結用ピン
１２２    ボール
２００    クリップ体
２１０    掴み部
２１１    可動掴み板
２１１ａ  山形突起
２１２    不動掴み板
２１２ａ  台形窪み
２２０    操作部
２２１    可動操作板
２２１ａ  軸受け
２２１ｂ  滑り止め突起部
２２２    不動操作板
２２２ａ  軸受け
２２２ｂ  滑り止め突起部
２２４    装飾部
２３０    支持軸
２４０    付勢バネ
２５０    継手部
２５１    連結用ピン
２５２    ボール
３００    連結体
３１０    継手受片
３１０ａ  ボール受け
３１０ｂ  雌ネジ部
３２０    継手受片
３２０ａ  ボール受け
３２０ｂ  雌ネジ部
３３０    調節ネジ
３３１    雄ネジ
Ｍ        ミュート
【図１】
0003152660.tif 000003
【図２】
0003152660.tif 000004
【図３】
0003152660.tif 000005
【図４】
0003152660.tif 000006
【図５】
0003152660.tif 000007